(57)【要約】【課題】コンパクトな構成で、使用場所の制限を受け難く、使用時以外は、雨水や埃等の汚れ及び外力から表示面を保護することができ、メンテナンス性及び耐久性に優れると共に、屋外での表示映像の視認性に優れ、必要に応じて表示面を昇降させることができる機能性及び汎用性に優れたＬＥＤディスプレイ搭載車両を提供する。【解決手段】荷台１２にＬＥＤディスプレイ１３が搭載されるＬＥＤディスプレイ搭載車両１０であって、荷台１２の少なくとも一側部に表示面１４を外向きにして立設されたＬＥＤディスプレイ１３と、ＬＥＤディスプレイ１３の表示面１４を開閉可能に覆う横開き式のシャッターカバー１７を有する表示面開閉機構１８とを備える。【選択図】図３
2022003368.tif 000002
【特許請求の範囲】
【請求項１】
荷台にＬＥＤディスプレイが搭載されたＬＥＤディスプレイ搭載車両であって、
前記荷台の少なくとも一側部に表示面を外向きにして立設された前記ＬＥＤディスプレイと、該ＬＥＤディスプレイの表示面を開閉可能に覆う横開き式のシャッターカバーを有する表示面開閉機構とを備えたことを特徴とするＬＥＤディスプレイ搭載車両。
【請求項２】
請求項１記載のＬＥＤディスプレイ搭載車両において、前記表示面開閉機構は、前記ＬＥＤディスプレイの幅方向一側で前記シャッターカバーに連結されて前記シャッターカバーの巻き取り及び巻き戻しを行う開閉手段と、該開閉手段で巻き取られる前記シャッターカバーを収容するカバー収容部とを備えたことを特徴とするＬＥＤディスプレイ搭載車両。
【請求項３】
請求項１記載のＬＥＤディスプレイ搭載車両において、前記シャッターカバーは、前記ＬＥＤディスプレイの幅方向中央部で第１、第２の分割カバーに分割され、前記表示面開閉機構は、前記ＬＥＤディスプレイの幅方向一側で前記第１の分割カバーに連結されて前記第１の分割カバーの巻き取り及び巻き戻しを行う第１の開閉手段と、前記ＬＥＤディスプレイの幅方向他側で前記第２の分割カバーに連結されて前記第２の分割カバーの巻き取り及び巻き戻しを行う第２の開閉手段と、前記第１の開閉手段で巻き取られる前記第１の分割カバーを収容する第１のカバー収容部と、前記第２の開閉手段で巻き取られる前記第２の分割カバーを収容する第２のカバー収容部とを備えたことを特徴とするＬＥＤディスプレイ搭載車両。
【請求項４】
請求項１〜３のいずれか１記載のＬＥＤディスプレイ搭載車両において、前記シャッターカバーが開いた状態で前記ＬＥＤディスプレイを昇降させるディスプレイ昇降機構を備えたことを特徴とするＬＥＤディスプレイ搭載車両。
【請求項５】
請求項１〜４のいずれか１記載のＬＥＤディスプレイ搭載車両において、前記荷台に、発電機と、テレビ中継及び／又はラジオ中継を行うための中継用機材が搭載されていることを特徴とするＬＥＤディスプレイ搭載車両。
【発明の詳細な説明】
【技術分野】
【０００１】
本発明は、荷台にＬＥＤディスプレイを搭載し、移動中に若しくは移動先で（停車中に）映像（静止画像を含む）を流すことができるＬＥＤディスプレイ搭載車両に関する。
【背景技術】
【０００２】
従来、荷台に搭載したディスプレイに映像を表示しながら移動を行う宣伝車両が知られている。例えば、特許文献１には、車両の外部に向かって映像を表示する映像ディスプレイを搭載した映像ディスプレイ搭載車両が開示されている。また、主に屋外での映画鑑賞やイベント等において大画面の映像を提供する映像表示装置付き自走車両も知られている。例えば、特許文献２には、開閉可能な扉を有する箱型荷台を備え、箱型荷台の内部に、スクリーンとスクリーンに映像光を投写する投写型表示装置とを配置し、扉を開放することによって、スクリーンの映像を表示する面を箱型荷台の外部に露出させる映像表示装置付き自走車両が開示されている。
【先行技術文献】
【特許文献】
【０００３】
【特許文献１】特開２００８−６８３２号公報
【特許文献２】特開２００３−２５５８７６号公報
【発明の概要】
【発明が解決しようとする課題】
【０００４】
特許文献１には、車両の走行状態により、走行時対応映像と駐停車時対応映像を切り替えること、災害の発生時等に緊急信号を受信した場合に緊急時対応映像を表示すること、車両から離間して設けられた中継用カメラから送られてくる中継映像を表示すること、インターネット接続手段を介して受信したインターネット映像を表示すること等が記載されており、様々な用途が想定されている。しかしながら、車両の構造としては、ボックス型の荷台の側面に映像ディスプレイを搭載したものであり、映像ディスプレイの表面は、常に車両の外部（屋外）に露出している。よって、雨水等によって濡れても故障しないように、防水構造を採用する必要があり、構造が複雑となって、メンテナンス性に欠けるという課題がある。また、埃やゴミ等が画面に付着し易いため、清掃に手間がかかるだけでなく、風雨に晒され、飛来物の衝突及び外部からの衝撃等による破損も発生し易く、耐久性に欠けるという課題もある。さらに、映像ディスプレイが荷台に固定されており、高さを調整することができないため、映像の視認範囲が限られるという課題がある。
これに対し、特許文献２では、箱型荷台の内部にスクリーンが設置されているため、映像を表示する時に箱型荷台の扉を開放し、映像を表示しない時には扉を閉鎖することで、スクリーン等を雨風から保護し、埃やゴミ等の汚れにより表示画面が見え難くなることを防止できる。しかしながら、箱型荷台の側面部の扉を上方に展開して開放する構造の場合、展開した扉が周囲の構造物等に衝突しないように、車両の周囲に十分なスペースを確保する必要があり、特に高さ制限を受け易く、使用場所が限られるという課題がある。また、スクリーンの昇降機構を搭載し、遠く離れた場所からも映像が見えるようにスクリーンを上昇させようとしても、上方に展開した扉に遮られて可動範囲が制限され、汎用性に欠けるという課題がある。さらに、特許文献２のように、投写型表示装置（プロジェクタ）を用いてスクリーンに映像光を投写する構成では、直射日光をはじめとする外光がスクリーンの表面に当たることにより、映像が見難くなるという欠点がある。この点につき、上方に展開する扉の位置を調整してスクリーンに外光が当たらないようにすることや、扉に日除け部材を取り付けることも記載されているが、日中の屋外の明るさ及び様々な方向から照射される反射光等には十分に対応することができない。なお、特許文献２には、シャッター状の扉を上下方向にスライドして開閉する方式も記載されているが、扉の巻取り機構が箱型荷台の上方に設置されることにより、スクリーンの設置スペースが減少して画面が小さくなると共に、スクリーンの昇降機構を搭載することが困難になり、機能性が低下するという課題がある。さらに、扉によって外光を遮蔽することができないため、視認性に欠けるという課題もある。
【０００５】
本発明はかかる事情に鑑みてなされたもので、コンパクトな構成で、使用場所の制限を受け難く、使用時以外は、雨水や埃等の汚れ及び外力から表示面を保護することができ、メンテナンス性及び耐久性に優れると共に、屋外での表示映像の視認性に優れ、必要に応じて表示面を昇降させることができる機能性及び汎用性に優れたＬＥＤディスプレイ搭載車両を提供することを目的とする。
【課題を解決するための手段】
【０００６】
前記目的に沿う本発明に係るＬＥＤディスプレイ搭載車両は、荷台にＬＥＤディスプレイが搭載されるＬＥＤディスプレイ搭載車両であって、
前記荷台の少なくとも一側部に表示面を外向きにして立設された前記ＬＥＤディスプレイと、該ＬＥＤディスプレイの表示面を開閉可能に覆う横開き式のシャッターカバーを有する表示面開閉機構とを備える。
【０００７】
本発明に係るＬＥＤディスプレイ搭載車両において、前記表示面開閉機構は、前記ＬＥＤディスプレイの幅方向一側で前記シャッターカバーに連結されて前記シャッターカバーの巻き取り及び巻き戻しを行う開閉手段と、該開閉手段で巻き取られる前記シャッターカバーを収容するカバー収容部とを備えることが好ましい。
【０００８】
本発明に係るＬＥＤディスプレイ搭載車両において、前記シャッターカバーは、前記ＬＥＤディスプレイの幅方向中央部で第１、第２の分割カバーに分割され、前記表示面開閉機構は、前記ＬＥＤディスプレイの幅方向一側で前記第１の分割カバーに連結されて前記第１の分割カバーの巻き取り及び巻き戻しを行う第１の開閉手段と、前記ＬＥＤディスプレイの幅方向他側で前記第２の分割カバーに連結されて前記第２の分割カバーの巻き取り及び巻き戻しを行う第２の開閉手段と、前記第１の開閉手段で巻き取られる前記第１の分割カバーを収容する第１のカバー収容部と、前記第２の開閉手段で巻き取られる前記第２の分割カバーを収容する第２のカバー収容部とを備えてもよい。
【０００９】
本発明に係るＬＥＤディスプレイ搭載車両において、前記シャッターカバーが開いた状態で前記ＬＥＤディスプレイを昇降させるディスプレイ昇降機構を備えることが好ましい。
【００１０】
本発明に係るＬＥＤディスプレイ搭載車両において、前記荷台に、発電機と、テレビ中継及び／又はラジオ中継を行うための中継用機材が搭載されてもよい。
【発明の効果】
【００１１】
本発明に係るＬＥＤディスプレイ搭載車両は、荷台に高輝度のＬＥＤディスプレイを搭載することにより屋外（特に日中）において鮮明な映像を表示することができる。また、ＬＥＤディスプレイの表示面を開閉可能に覆う横開き式のシャッターカバーを有する表示面開閉機構により、ＬＥＤディスプレイの使用時以外は、表示面をシャッターカバーで覆って、雨水や埃等の汚れ及び外力（衝撃）から表示面を保護することができる。特に、シャッターカバーが横開き式であることにより、荷台の高さを有効に利用してＬＥＤディスプレイを大型化することができる。
【００１２】
表示面開閉機構が、ＬＥＤディスプレイの幅方向一側でシャッターカバーに連結されてシャッターカバーの巻き取り及び巻き戻しを行う開閉手段と、開閉手段で巻き取られるシャッターカバーを収容するカバー収容部とを備える場合、ＬＥＤディスプレイの使用時に、荷台の長さを有効利用してシャッターカバーをコンパクトに収容することができる。
【００１３】
シャッターカバーが、ＬＥＤディスプレイの幅方向中央部で第１、第２の分割カバーに分割され、表示面開閉機構が、ＬＥＤディスプレイの幅方向一側で第１の分割カバーに連結されて第１の分割カバーの巻き取り及び巻き戻しを行う第１の開閉手段と、ＬＥＤディスプレイの幅方向他側で第２の分割カバーに連結されて第２の分割カバーの巻き取り及び巻き戻しを行う第２の開閉手段と、第１の開閉手段で巻き取られる第１の分割カバーを収容する第１のカバー収容部と、第２の開閉手段で巻き取られる第２の分割カバーを収容する第２のカバー収容部とを備えている場合、ＬＥＤディスプレイ（表示面）の開閉時間を大幅に短縮することができる。
【００１４】
シャッターカバーが開いた状態でＬＥＤディスプレイを昇降させるディスプレイ昇降機構を備えている場合、周囲の障害物の有無（高さ）及びＬＥＤディスプレイから観客までの距離等に応じてＬＥＤディスプレイの設置高さを調整し、表示映像の視認範囲の拡大及び視認性の向上を図ることができる。
【００１５】
荷台に、発電機と、テレビ中継及び／又はラジオ中継を行うための中継用機材が搭載されている場合、発電機で発電した電力で、ＬＥＤディスプレイ搭載車両に必要な電力を賄いながら、離れた地点と映像及び／又は音声を送受信して、受信した映像をＬＥＤディスプレイに表示させることができ、使用場所が限定されず、機動性に優れる。
【図面の簡単な説明】
【００１６】
【図１】本発明の第１の実施の形態に係るＬＥＤディスプレイ搭載車両の側面図である。
【図２】同ＬＥＤディスプレイ搭載車両の荷台の内部を示す部分断面平面図である。
【図３】同ＬＥＤディスプレイ搭載車両のシャッターカバーの開閉動作を示す側面図である。
【図４】同ＬＥＤディスプレイ搭載車両のＬＥＤディスプレイの昇降動作を示す側面図である。
【図５】本発明の第２の実施の形態に係るＬＥＤディスプレイ搭載車両の荷台の内部を示す部分断面平面図である。
【図６】同ＬＥＤディスプレイ搭載車両のシャッターカバーの開閉動作を示す側面図である。
【発明を実施するための形態】
【００１７】
続いて、添付した図面を参照しつつ、本発明を具体化した実施の形態につき説明し、本発明の理解に供する。
図１〜図４に示す本発明の第１の実施の形態に係るＬＥＤディスプレイ搭載車両１０は、箱型の荷台１２にＬＥＤディスプレイ１３を搭載し、移動中に若しくは移動先で（停車中に）映像（動画若しくは静止画像）を流すことにより、宣伝広告、コンサート等の各種イベント若しくは各種スポーツのライブ中継（パブリックビューイング）及びテレビ放送等を行うものである。
図２に示すように、箱型に形成された荷台１２の一側部（ここでは前進方向左側）に表示面１４を外向きにしてＬＥＤディスプレイ１３が立設されている。荷台１２の側面１５には、表示面１４の大きさに合わせて長方形状の開口部１６が形成されている。そして、ＬＥＤディスプレイ搭載車両１０は、図１、図２に示すように、ＬＥＤディスプレイ１３の表示面１４を開閉可能に覆う横開き式のシャッターカバー１７を有する表示面開閉機構１８を備えている。これにより、ＬＥＤディスプレイ１３の使用時（表示面１４に映像を表示している時）以外は、表示面１４をシャッターカバー１７で覆って、雨水や埃等の汚れ及び外力（衝撃）から表示面１４を保護することができる。表示面１４が汚れ難く、傷付き難いので、表示映像が見易く、メンテナンスの手間が省け、耐久性に優れる。なお、ＬＥＤディスプレイには、ＳＭＤ型のＬＥＤが好適に用いられるが、これに限定されるものではない。高輝度のＬＥＤディスプレイは屋外での視認性に優れるが、必要に応じて日除けを取り付けることもできる。
【００１８】
表示面開閉機構１８は、図１、図２に示すように、従来公知の電動シャッターと同様に、ＬＥＤディスプレイ１３の幅方向一側（ここでは荷台１２の前方側であり、ＬＥＤディスプレイ１３を正面から見て左側）でシャッターカバー１７に連結されてシャッターカバー１７の巻き取り及び巻き戻しを行う開閉手段２０と、開閉手段２０で巻き取られるシャッターカバー１７を収容するカバー収容部２１を備えている。これにより、ＬＥＤディスプレイ１３の使用時には、図３に示すように、開閉手段２０でシャッターカバー１７を巻き取り、開口部１６を開口させて、表示面１４を露出させることができる。具体的には、開閉手段２０は、回転軸（図示せず）をモーター（図示せず）で回転させてシャッターカバー１７の巻き取り及び巻き戻しを行うものが好適に用いられるが、これに限定されるものではない。なお、本実施の形態では、開閉手段及びカバー収容部を荷台の前方側（ＬＥＤディスプレイを正面から見て左側）に設置したが、荷台の後方側（ＬＥＤディスプレイを正面から見て右側）に設置することもできる。
また、ＬＥＤディスプレイ搭載車両１０は、図４に示すように、シャッターカバー１７が開いた状態でＬＥＤディスプレイ１３を昇降させるディスプレイ昇降機構２２（図２参照）を備えている。ディスプレイ昇降機構２２は、ＬＥＤディスプレイ１３の幅方向両側を昇降可能に保持するものであり、ラックとピニオンの組み合わせが好適に用いられるが、これに限定されるものではない。なお、荷台１２の上面には、ＬＥＤディスプレイ１３を昇降させるための通過口（切欠き：図示せず）が形成され、その通過口が、開閉可能なカバー（図示せず）によって水密に覆われることにより、ＬＥＤディスプレイ１３の昇降時以外は、通過口を密閉し、荷台１２の内部に雨水等が浸入することを防止して、ＬＥＤディスプレイ１３等を漏電等から保護することができる。
【００１９】
荷台１２には、発電機２４が搭載されており、ＬＥＤディスプレイ搭載車両１０を使用する際に必要な電力は、発電機２４で発電した電力で賄うことができる。この発電機としては、ディーゼル発電機が好適に用いられるが、荷台の上面にソーラーパネルを設置して太陽光発電を行うこともできる。そして、荷台１２には、テレビ中継及び／又はラジオ中継を行うための操作テーブル２５が設置されており、各種の中継用機材２６が搭載されている。中継用機材には、モニター、カメラ、映像録画再生機、映像切替・合成機（映像スイッチャー）、映像伝送装置、制御用ＰＣ、スピーカー及びマイク等が含まれる。また、荷台１２には、室内機２８と室外機２９からなるエアコン３０が取り付けられており、作業者が快適に作業を行うことができると共に、ＬＥＤディスプレイ１３及び中継用機材２６を冷却して熱から保護することができる。ここで、室内機と室外機の配置は、適宜、選択することができる。
なお、荷台１２には、操作テーブル２５や中継用機材２６等が搭載され作業者が作業を行う作業スペース３２と、ＬＥＤディスプレイ１３との間を仕切る仕切り部３３が設けられている。これにより、図４に示すように、ＬＥＤディスプレイ１３を上昇させても、外部から作業スペース３２が見えることはない。仕切り部としては板材を設置することが好ましいが、カーテン等の布を設置してもよい。また、荷台の要所には出入り口及び開閉扉を設けることができる。
【００２０】
次に、図５、図６を参照して、本発明の第２の実施の形態に係るＬＥＤディスプレイ搭載車両３５について説明する。なお、第１の実施の形態と同様のものは同じ符号を付して説明を省略する。
ＬＥＤディスプレイ搭載車両３５がＬＥＤディスプレイ搭載車両１０と異なる点は、シャッターカバー３７が、ＬＥＤディスプレイ１３の幅方向中央部で第１、第２の分割カバー３７ａ、３７ｂに分割され、表示面開閉機構３８が、ＬＥＤディスプレイ１３の幅方向一側（ＬＥＤディスプレイを正面から見て左側）で第１の分割カバー３７ａに連結されて第１の分割カバー３７ａの巻き取り及び巻き戻しを行う第１の開閉手段４０ａと、ＬＥＤディスプレイ１３の幅方向他側（ＬＥＤディスプレイを正面から見て右側）で第２の分割カバー３７ｂに連結されて第２の分割カバー３７ｂの巻き取り及び巻き戻しを行う第２の開閉手段４０ｂと、第１の開閉手段４０ａで巻き取られる第１の分割カバー３７ａを収容する第１のカバー収容部４１ａと、第２の開閉手段４０ｂで巻き取られる第２の分割カバー３７ｂを収容する第２のカバー収容部４１ｂとを備えている点である。
これにより、ＬＥＤディスプレイ１３（表示面１４）の開閉時間を大幅に短縮することができる。なお、第１、第２の開閉手段４０ａ、４０ｂ及び第１、第２のカバー収容部４１ａ、４１ｂは、それぞれ開閉手段２０及びカバー収容部２１と同様であるので説明を省略する。また、ＬＥＤディスプレイ搭載車両３５のその他の構成もＬＥＤディスプレイ搭載車両１０と同様であり、得られる作用、効果も同様である。
【００２１】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。
ＬＥＤディスプレイに表示する映像は動画に限らず、静止画像でもよい。そして、静止画像を表示する場合は、複数の静止画像を所定の間隔（一定間隔でも不定期間隔でもよい）で切替えることができる。
また、ＬＥＤディスプレイは、ＬＥＤディスプレイ搭載車両の前進方向に対して荷台の左側面（一側部）に設置することが一般的であるが、場合によっては荷台の右側面に設置することもできるし、両側面（両側部）に設置することもできる。なお、表示面開閉機構は、シャッターカバーを開閉できるものであればよく、開閉手段は電動に限定されず、油圧又は空圧等を用いて駆動されるものでもよいし、手動でもよい。
【符号の説明】
【００２２】
１０：ＬＥＤディスプレイ搭載車両、１２：荷台、１３：ＬＥＤディスプレイ、１４：表示面、１５：側面、１６：開口部、１７：シャッターカバー、１８：表示面開閉機構、２０：開閉手段、２１：カバー収容部、２２：ディスプレイ昇降機構、２４：発電機、２５：操作テーブル、２６：中継用機材、２８：室内機、２９：室外機、３０：エアコン、３２：作業スペース、３３：仕切り部、３５：ＬＥＤディスプレイ搭載車両、３７：シャッターカバー、３７ａ、３７ｂ：第１、第２の分割カバー、３８：表示面開閉機構、４０ａ、４０ｂ：第１、第２の開閉手段、４１ａ、４１ｂ：第１、第２のカバー収容部
【図１】
2022003368.tif 000003
【図２】
2022003368.tif 000004
【図３】
2022003368.tif 000005
【図４】
2022003368.tif 000006
【図５】
2022003368.tif 000007
【図６】
2022003368.tif 000008